(57)【要約】      （修正有）【課題】予め設定された電子文書のレイアウトを変更することができる画像処理装置を提供する。【解決手段】画像処理装置１４は、電子文書４０を取得する電子文書取得手段１００と、電子文書４０に付加されたメタデータを抽出するメタデータ抽出手段１０２と、レイアウト情報をディスプレイに表示させるレイアウト情報表示手段１０４と、レイアウト情報を変更するレイアウト情報変更手段１０６と、変更されたレイアウト情報への更新を行うレイアウト情報設定手段１０８と、抽出された印刷設定情報を保持する印刷設定情報保持手段１１０と、レイアウト情報に基づき文書データのレイアウトフォーマットを構成するレイアウト構成手段１１２と、印刷設定情報に従いレイアウト構成された文書データの印刷を設定する印刷設定手段１１４を含んで構成される。【選択図】図７
2008176541.tif 000002
【特許請求の範囲】
【請求項１】
文書または画像の少なくとも一方を含む描画データと、
前記描画データを印刷するときの印刷機能を制御する印刷設定情報と、
前記描画データのレイアウトに関するレイアウト情報とを含む電子文書を記憶したメディア。
【請求項２】
前記レイアウト情報は、描画データについて設定されたレイアウトを元のレイアウトに復元するためのレイアウト復元情報を含む、請求項１に記載のメディア。
【請求項３】
前記レイアウト情報は、レイアウトの変更履歴に関するレイアウト変更履歴情報を含む、請求項１に記載のメディア。
【請求項４】
前記レイアウト情報は、ＸＭＬ形式により作成されたメタデータである、請求項１ないし３いずれか１つに記載のメディア。
【請求項５】
レイアウト情報を含む電子文書を処理する電子文書処理装置であって、
入力手段と、
入力手段からの入力に応答して描画データを印刷するときの印刷機能を制御する印刷設定情報を作成する第１の作成手段と、
入力手段からの入力に応答して描画データのレイアウトに関するレイアウト情報を作成する第２の作成手段と、
第１の作成手段により作成された印刷設定情報、第２の作成手段により作成されたレイアウト情報および描画データを含む電子文書を保存する保存手段と、
を有する電子文書処理装置。
【請求項６】
前記レイアウト情報は、描画データのレイアウトを元のレイアウトに復元するためのレイアウト復元情報を含む、請求項５に記載の電子文書処理装置。
【請求項７】
前記レイアウト情報は、レイアウトの変更履歴に関するレイアウト変更履歴情報を含む、請求項５に記載の電子文書処理装置。
【請求項８】
前記保存手段は、印刷設定情報、レイアウト情報および描画データを含む電子文書をメディアに保存する、請求項５に記載の電子文書処理装置。
【請求項９】
レイアウト情報を含む電子文書を処理する電子文書処理装置であって、
描画データ、描画データの印刷設定情報および描画データのレイアウト情報を含む電子文書を取得する取得手段と、
入力手段と、
電子文書から印刷設定情報およびレイアウト情報を抽出する抽出手段と、
抽出されたレイアウト情報に基づき前記描画データに設定されたレイアウトを表示する表示手段と、
入力手段から前記設定されたレイアウトの変更を指示する入力があったとき、前記設定されたレイアウト情報を変更するレイアウト変更手段と、
入力手段から前記描画データの印刷の指示があったとき、前記描画データの印刷設定情報および前記設定されたレイアウト情報または前記変更されたレイアウト情報に基づき描画データを印刷する印刷手段と、
を有する電子文書処理装置。
【請求項１０】
前記レイアウト情報は、レイアウトの変更履歴に関するレイアウト変更履歴情報を含み、前記レイアウト変更手段は、変更を指示したレイアウトがレイアウト変更履歴情報に含まれるか否かを判定し、含まれていると判定した場合には、レイアウト変更履歴情報に基づき描画データに設定されているレイアウト情報を変更する、請求項９に記載の電子文書処理装置。
【請求項１１】
前記レイアウト情報はさらに、描画データのレイアウトを元のレイアウトに復元するためのレイアウト復元情報を含み、前記レイアウト変更手段は、変更を指示したレイアウトがレイアウト変更履歴情報に含まれていないと判定したとき、レイアウト復元情報に基づき描画データのレイアウトを復元し、前記復元されたレイアウトに基づき描画データのレイアウトを再設定する、請求項９または１０に記載の電子文書処理装置。
【請求項１２】
前記レイアウト情報は、ＸＭＬ形式により作成されたメタデータである、請求項９ないし１１いずれか１つに記載の電子文書処理装置。
【請求項１３】
前記取得手段は、メディアに記憶された電子文書を取得する、請求項９に記載の電子文書処理装置。
【発明の詳細な説明】
【技術分野】
【０００１】
本発明は、レイアウト情報を含む電子文書を処理する電子文書処理装置に関し、特に、プリンタや複写機等においてメディアに格納された電子文書をメディアプリントする技術に関する。
【背景技術】
【０００２】
現在、パーソナルコンピュータ等で使用されている電子文書の特徴として、ファイルフォーマットとして印刷装置の機能を制御するコマンドを記述でき、予め印刷する際に使用する設定情報をファイルに保持しておくことができるものや、修正履歴を差分情報として保持しておき修正前の状態まで自由に戻すことができるものがある。
【０００３】
特許文献１は、複数回にわたり更新された電子文書の各世代における文書内容を復元するために、電子文書を更新したときにその更新履歴情報を電子文書に関連付けして保存する技術を開示している。
【０００４】
また、プリンタの備えている機能として上記のような電子文書をデバイス固有なページ記述言語（PDL）に変換することなくダイレクトに印刷を行うことのできる機能（ダイレクトプリント）を備えたものや、プリンタから直接フラッシュメモリ等のメモリカード等に格納されている電子文書を読み込んで印刷する機能（メディアプリント）を備えるものもある。ユーザは、例えば電子文書を記録したメディアをコンビニエンスストアや外出先のオフィスへ持ち込み、そこでプリンタ等を利用してダイレクトプリントまたはメディアプリントを行うことができる。
【０００５】
【特許文献１】特開２００３−２１６６０１
【発明の開示】
【発明が解決しようとする課題】
【０００６】
特許文献１は、修正した内容を差分情報として保持しておき、ある任意の時点でのスナップショットに戻すことを可能にするものであるが、あくまで時系列に保存された情報を元にしている為、ある特定箇所のみを元に戻すといったことができない。
【０００７】
また、予めパーソナルコンピュータ等で、複数ページを１ページに縮小して印刷するＮアップ機能や拡大連写（ポスター）処理された電子文書をメディアプリントする場合に、仮に後から印刷設定を変更したいと思っても、印刷制御コマンドの書き換えだけでは、Ｎアップやポスター処理されたレイアウトを変更することができない。このようなレイアウトを変更するためには、レイアウトを元に戻しそこに含まれるテキスト等のデータを元の大きさに戻す必要があるからである。仮に、特許文献１のような修正前の復元機能があったとしても、文書に含まれる時系列の差分情報だけでは、レイアウトを元の状態に戻すとことができず、やはりレイアウトの変更をすることができない。
【０００８】
本発明は、このような従来の課題を解決するものであり、電子文書をメディアプリントやダイレクトプリント等する際に、文書の作成または編集時に設定されたレイアウトと異なるレイアウトで電子文書を印刷することができる電子文書および電子文書処理装置を提供することを目的とする。
さらに本発明は、電子文書の印刷に際して電子文書に含まれるレイアウト情報をユーザインターフェース上で確認することができる電子文書および電子文書処理装置を提供することを目的とする。
【課題を解決するための手段】
【０００９】
本発明に係るメディアは、文書(テキスト)または画像(イメージ)の少なくとも一方を含む描画データと、前記描画データを印刷するときの印刷機能を制御する印刷設定情報と、前記描画データのレイアウトに関するレイアウト情報とを含む電子文書を記憶する。
【００１０】
好ましくはレイアウト情報は、描画データについて設定されたレイアウトを元のレイアウトに復元するためのレイアウト復元情報を含む。レイアウト復元情報は、描画データのレイアウトをオリジナルのレイアウトに復元することができる。また、レイアウト情報は、レイアウトの変更履歴に関するレイアウト変更履歴情報を含むようにしてもよい。これらのレイアウト情報は、ＸＭＬ形式により作成されたメタデータとして描画データに埋め込むことができる。
【００１１】
本発明に係る電子文書処理装置は、入力手段と、入力手段からの入力に応答して描画データを印刷するときの印刷機能を制御する印刷設定情報を作成する第１の作成手段と、入力手段からの入力に応答して文書データのレイアウトに関するレイアウト情報を作成する第２の作成手段と、第１の作成手段により作成された印刷設定情報、第２の作成手段により作成されたレイアウト情報および描画データを含む電子文書を保存する保存手段とを有する。
【００１２】
好ましくは、保存手段は、印刷設定情報、レイアウト情報および描画データをメディアに保存する。メディアには、磁気カード、メモリカード、ＣＤ等の記録媒体を用いることができる。
【００１３】
さらに本発明に係る電子文書処理装置は、描画データ、描画データの印刷設定情報および描画データのレイアウト情報を含む電子文書を取得する取得手段と、入力手段と、電子文書から印刷設定情報およびレイアウト情報を抽出する抽出手段と、抽出されたレイアウト情報に基づき前記描画データに設定されたレイアウトを表示する表示手段と、入力手段から前記設定されたレイアウトの変更を指示する入力があったとき、前記設定されたレイアウト情報を変更するレイアウト変更手段と、入力手段から前記描画データの印刷の指示があったとき、前記描画データの印刷設定情報および前記設定されたレイアウト情報または変更されたレイアウト情報に基づき描画データを印刷する印刷手段とを有する。
【００１４】
好ましくはレイアウト情報は、レイアウトの変更履歴に関するレイアウト変更履歴情報を含み、レイアウト変更手段は、変更を指示したレイアウトがレイアウト変更履歴情報に含まれるか否かを判定し、含まれていると判定した場合には、レイアウト変更履歴情報に基づき文書データに設定されているレイアウト情報を変更する。レイアウト情報はさらに、描画データのレイアウトを元のレイアウトに復元するためのレイアウト復元情報を含み、レイアウト変更手段は、変更を指示したレイアウトがレイアウト変更履歴情報に含まれていないと判定したとき、レイアウト復元情報に基づき描画データのレイアウトを復元し、前記復元されたレイアウトに基づき描画データのレイアウトを再設定する。
【発明の効果】
【００１５】
本発明によれば、電子文書にレイアウト情報を含ませることで、文書の作成時または編集時に設定されたレイアウトを、メディアプリントまたはダイレクトプリント等の際に後から変更することができ、変更されたレイアウトに従い描画データを印刷することができる。また、電子文書に含まれるレイアウト情報を表示することで、ユーザは、描画データに設定されているレイアウトを確認し、その変更を容易に行うことができる。
【発明を実施するための最良の形態】
【００１６】
以下、本発明を実施するための最良の形態について図面を参照して説明する。
【実施例】
【００１７】
図１は、メディアプリントを行うときの電子文書処理システムの一構成例を示す図である。電子文書処理システム１０は、電子文書や画像等のファイルの作成、編集および更新等を行うユーザＰＣ１２と、コンビニエンスストアや外出先のオフィス等に設置され、印刷機能や画像読取機能等を備えた画像処理装置１４と、電子文書を格納するメディア１６とによって構成される。
【００１８】
ユーザＰＣ１２は、電子文書をメディア１６に保存するとき、文書データについて設定されたレイアウト情報や印刷設定情報を文書データに付加して保存する。メディア１６に保存された電子文書は、画像処理装置１４において読取られ、そこでメディアプリントまたはダイレクトプリントされる。このとき、文書データに付加された印刷設定情報やレイアウト情報が文書データの印刷の制御に用いられる。メディア１６は、例えばメモリカード、ＵＳＢメモリ、ＣＤまたはＤＶＤ等のデータを記憶する媒体である。
【００１９】
図２は、ユーザＰＣのハードウェアの構成例を示す図である。ユーザＰＣ１２は、キーボードやマウス等の操作により情報を入力する入力部２０、ディスプレイに文字、図形等の情報を表示する表示部２２、ＲＯＭまたはＲＡＭを含みレイアウト設定や印刷設定のためのプリンタドライバ等のプログラムを記憶する主記憶部２４、ハードディスク等の大容量記憶装置を含み、電子文書等のファイルを蓄積する記憶部２６、メディアデバイス等の外部機器との接続を可能にするインターフェース２８、主記憶部２４に記憶されたプログラムに従い各部を制御する中央演算装置（ＣＰＵ）３０、およびこれらを接続するバス３２を含んでいる。
【００２０】
ユーザＰＣ１２は、上記したように電子文書をメディアに保存するとき、電子文書に印刷設定情報やレイアウト情報を埋め込む。こうした機能は、好ましくは主記憶部２４または記憶部２６に格納されたプログラムをＣＰＵ３０が実行することで行う。図３は、電子文書に埋め込まれるレイアウト情報および印刷設定情報を説明する図である。ユーザＰＣ１２にインストールされたアプリケーションソフトウエアを実行し、入力部２０からの入力に応じて文書データの作成、編集、更新等が行われ、電子文書４０が作成される。電子文書４０は、必ずしもテキストデータに限らず、イメージデータ等を含むものであってもよい。当初、文書データについてのレイアウト設定は行われていないので、デフォルトとして、文書データがページ単位のレイアウトを有するものとする。図３に示す例では、電子文書４０は、文書データを２ページに配置するレイアウト５０を有している。
【００２１】
ユーザＰＣ１２は、入力部２０を介してユーザから電子文書４０に対する印刷設定の指示が成されると、電子文書４０に付加するべき印刷設定情報４２を作成する。印刷設定情報４２は、プリンタ等の印刷を制御するコマンド情報を含み、例えば、印刷する枚数、サイズ、色彩、印刷品位などの情報を含む。また、印刷設定の指示において、文書データのレイアウトを設定する指示が含まれているとき、ユーザＰＣ１２は、レイアウト情報４４を作成する。レイアウトの指示は、例えば１ページに複数ページを縮小して印刷させるＮアップの指示である。
【００２２】
レイアウト情報４４は、設定されたレイアウトを元のレイアウトに復元するためのレイアウト復元情報４６と、レイアウトの変更履歴に関するレイアウト変更履歴情報４８とを含んでいる。レイアウト変更履歴情報４８は、ユーザが過去に設定した文書データのレイアウトを時系列的に保存し、好ましくは、前回設定されたレイアウトと今回設定されたレイアウトとの差分を変更履歴として有している。従って、レイアウト変更履歴情報４８の最終履歴は、文書データに設定された最新のレイアウトである。印刷設定情報４２およびレイアウト情報４４は、好ましくは、ＸＭＬ形式のメタデータであり、情報の内容はキーワードにより電子文書４０に格納される。
【００２３】
ユーザがメディアプリントに備えて、電子文書４０に対して印刷設定およびレイアウト設定をすると、印刷設定情報４２およびレイアウト情報４４が文書データに付加され、これは電子文書４０ａとしてメディアに保存される。例えば、図３に示すように、電子文書４０に含まれる２ページの文書データを１ページに縮小印刷するレイアウト設定（２アップ設定）が行われたとする。電子文書４０のレイアウト５０は、図４に示すように、１ページ目に対応するレイアウト５０−１と２ページ目に対応するレイアウト５０−２により構成される。１ページ目のレイアウト５０−１を構成するレイアウト情報は、文書データの開始を規定するページ設定部６０−１と、描画すべき文書データを規定する描画オブジェクト部６２−１と、文書データの終了を規定するページ終了部６４−１を含んでいる。電子文書４０の２ページ目のレイアウト５０−２も同様に、ページ設定部６０−２、描画オブジェクト部６２−２およびページ終了部６４−２を含んでいる。
【００２４】
電子文書４０について２アップのレイアウト設定が行われた電子文書４０ａのレイアウト情報を図５に示す。電子文書４０ａのレイアウト５２は、２アップ機能のためのページ開始を規定するページ設定７０、２アップ機能に応じた描画拡縮率設定７２−１、描画すべき１ページ目の文書データを規定する描画オブジェクト６２−１、２アップ機能に応じた描画拡縮率設定７２−２、描画すべき２ページ目の文書データを規定する描画オブジェクト６２−２、２アップ機能のためのページ終了を規定するページ終了７４のレイアウト情報を含んでいる。さらに、電子文書４０ａのレイアウト情報は、図４に示した１ページ目の開始および終了を規定するページ設定６０−１およびページ終了６４−１、２ページ目の開始及び終了を規定するページ設定６０−２およびページ終了６４−２を含んでいるが、これらのレイアウト情報（図５においてハッチングで示している）は、２アップ時のレイアウト情報において無効化され、印刷時には適用されない。すなわち、ハッチングで示されたページ設定６０−１、６０−２、およびページ終了６２−２、６２−２は、無効化を解除することで、電子文書４０のレイアウトを復元するためのレイアウト復元情報となる。
【００２５】
また、レイアウトの変更により追加および無効化された情報は差分情報として抽出され、その差分情報がレイアウト変更履歴情報４８となる。上記の例では、図４に示すレイアウト情報と図５に示すレイアウト情報４４の追加および無効化された情報がレイアウト変更履歴情報４８として保存される。
【００２６】
次に、画像処理装置１４によるメディアプリントについて説明する。図６は、画像処理装置のハードウェアの構成例を示す図である。画像処理装置１４は、ユーザからの指示を入力する入力部８０、印刷設定情報やレイアウト情報等をディスプレイに表示する表示部８２、文書や画像等の原稿を読取る読取部８４、電子文書等を紙等の媒体に印刷する印刷部８６、メディア１６等の外部機器を接続するインターフェース８８、メディアプリントを制御するプログラムや種々のデータ等を記憶する主記憶部９０、ハードディスク等の大容量記憶装置を含み、電子文書等を蓄積する記憶部９２、プログラムに従い各部を制御するＣＰＵ９４、およびこれらを接続するバス９６を含んでいる。
【００２７】
図７は、本実施例に係る画像処理装置のメディアプリントを行うための機能的なブロック図である。画像処理装置１４は、メディア１６から電子文書を取得する電子文書取得手段１００と、電子文書取得手段１００により取得された電子文書に付加されたメタデータである印刷設定情報およびレイアウト情報を抽出するメタデータ抽出手段１０２と、メタデータ抽出手段１０２により抽出されたレイアウト情報をディスプレイに表示させるレイアウト情報表示手段１０４と、ユーザ入力に応じてレイアウト情報を変更するレイアウト情報変更手段１０６と、レイアウト情報が変更されたとき変更されたレイアウト情報への更新を行うレイアウト情報設定手段１０８と、メタデータ抽出手段１０２から抽出された印刷設定情報を保持する印刷設定情報保持手段１１０と、レイアウト変更手段１０６またはレイアウト設定手段１０８からのレイアウト情報に基づき文書データのレイアウトフォーマットを構成するレイアウト構成手段１１２と、印刷設定情報保持手段１１０で保持された印刷設定情報に従いレイアウト構成された文書データの印刷を設定する印刷設定手段１１４とを含んで構成される。
【００２８】
次に、画像処理装置１４におけるメディアプリントの動作について図８のフローチャートを参照して説明する。まず、電子文書取得手段１００は、インターフェース８８に接続されたメディア１６に記憶された電子文書を取得し（ステップＳ１０１）、取得された電子文書を主記憶部９２に記憶する。次に、メタデータ抽出手段１０２により取得された電子文書から印刷設定情報およびレイアウト情報が抽出される（ステップＳ１０２）。抽出された印刷設定情報は、印刷設定情報保持手段１１０に保持される。
【００２９】
レイアウト情報表示手段１０６は、抽出されたレイアウト情報に基づき文書データに設定されているレイアウトを表示部８２に表示し（ステップＳ１０３）、設定されているレイアウトをユーザに知らせる。ユーザは、表示部８２に表示されたレイアウトを確認し、当該レイアウトで文書データを印刷するか、あるいはそれ以外のレイアウトで印刷するかの指示を入力部８０から与える。
【００３０】
ユーザからレイアウト変更を指示する入力があったとき（ステップＳ１０４）、レイアウト変更手段１０６は、レイアウト変更履歴情報を参照し、ユーザから指示されたレイアウトが過去に設定されたレイアウトに一致するか否かを判定する（ステップＳ１０５）。過去に設定されたレイアウトがあるとき、レイアウト情報変更手段１０６は、レイアウト変更履歴情報に基づきレイアウト情報を作成する（ステップＳ１０６）。
【００３１】
一方、レイアウト変更履歴情報に一致するレイアウトがないとき、レイアウト情報変更手段１０６は、レイアウト情報に含まれるレイアウト復元情報を参照し、文書データを初期のレイアウトに復元する（ステップＳ１０７）。あるいは、文書データのレイアウトをデフォルト状態に戻す。次に、レイアウト情報変更手段１０６は、復元された初期のレイアウトをユーザが指示するレイアウトに変更し、文書データの新たなレイアウト情報を作成する（ステップＳ１０８）。レイアウト情報設定手段１０８は、ステップＳ１０６またはステップＳ１０８により作成されたレイアウト情報を受け取り、文書データに設定されているレイアウト情報を更新する（ステップステップＳ１０９）。
【００３２】
次に、レイアウト構成手段１１２は、更新されたレイアウト情報、または変更されなかったレイアウト情報に基づきレイアウトのフォーマットを構成する（ステップＳ１１０）。例えば、レイアウト情報が２アップ設定を含むものであれば、２アップに対応するようにレイアウトフォーマットを構成する。次に、印刷設定手段１１４は、印刷設定情報保持手段１１０に保持された印刷設定情報およびレイアウトフォーマットに従い文書データの印刷データを作成する（ステップＳ１１１）。そして、印刷部８６により印刷データの印刷が行われる（ステップＳ１１２）。
【００３３】
以上のように、メディアプリントを行う際に、電子文書にレイアウト情報を付加することで、予め設定されている文書データのレイアウトを容易に変更することができる。また、ユーザは、電子文書に含まれるレイアウト情報を確認し、印刷する文書データのレイアウトを決定することができる。
【００３４】
上記実施例は例示的なものであり、これによって本発明の範囲が限定的に解釈されるべきものではなく、本発明の構成要件を満足する範囲内で他の方法によっても実現可能であることは言うまでもない。
【００３５】
上記実施例では、文書データのレイアウトを設定する例に、いわゆるＮアップ機能を示したが、これ以外のレイアウト設定であってもよい。例えば、文書データを拡大、縮小したり、文書データの印刷位置を変えるようなレイアウト設定であってもよい。また、上記実施例では、文書データのレイアウトを例示しているが、文書データは、テキストやその他のイメージデータを含むものであってもよい。
【００３６】
さらに上記実施例のメディアプリントは、ユーザＰＣ、画像処理装置およびメディアを用いた例を示しているが、これ以外にも、ユーザＰＣで作成した電子文書をユーザＰＣに接続されたプリンタで印刷したり、画像処理装置で作成した電子文書を画層処理装置で印刷するものであってもよい。さらに、電子文書を格納するメディアを用いたメディアプリントの例を示したが、本発明は、メディアプリント以外にも、電子文書をネットプリントするものであってもよい。例えば、ユーザＰＣにより作成された電子文書を、有線または無線を介して画像処理装置へ送信し、そこで当該電子文書の印刷を行う場合にも本発明を適用することができる。
【産業上の利用可能性】
【００３７】
本発明は、メディアプリント、ダイレクトプリント、ネットプリント等を行うプリンタ、複写機、コンピュータ等において利用される。
【図面の簡単な説明】
【００３８】
【図１】本発明の実施例に係る画像処理システムの構成例を示す図である。
【図２】ユーザＰＣのハードウェアの構成例を示す図である。
【図３】本実施例に係る電子文書に付加されるレイアウト情報および印刷設定情報を説明する図である。
【図４】レイアウト設定前電子文書のレイアウトを示す図である。
【図５】２アップを設定したときの電子文書のレイアウトを示す図である。
【図６】画像処理装置のハードウェアの構成例を示す図である。
【図７】本実施例に係る画像処理装置の機能的な構成を示すブロック図である。
【図８】本実施例に係る画像処理装置におけるメディアプリント動作を説明するフローチャートである。
【００３９】
１０：画像処理システム                １２：ユーザＰＣ
１４：画像処理装置                    １６：メディア
４０、４０ａ：電子文書                ４２：印刷設定情報
４４：レイアウト情報                  ４６：レイアウト復元情報
４８：レイアウト変更履歴情報          ５０、５２：レイアウト
１００：電子文書取得手段              １０２：メタデータ抽出手段
１０４：レイアウト情報表示手段        １０６：レイアウト情報変更手段
１０８：レイアウト情報設定手段        １１０：印刷設定情報保持手段
１１２：レイアウト構成手段            １１４：印刷データ作成手段
【図１】
2008176541.tif 000003
【図２】
2008176541.tif 000004
【図３】
2008176541.tif 000005
【図４】
2008176541.tif 000006
【図５】
2008176541.tif 000007
【図６】
2008176541.tif 000008
【図７】
2008176541.tif 000009
【図８】
2008176541.tif 000010